(57)【特許請求の範囲】
【請求項１】
透光性を有する基材と、この基材の何れか一方の面側の所定領域に設けられた加飾隠蔽層とを備えた扉面材であって、
前記加飾隠蔽層は、前記基材の一方の面側から視認可能な所定の模様を形成する表側模様形成層と、前記基材の他方の面側から視認可能な所定の模様を形成する裏側模様形成層と、これら各模様形成層の間に配置される中間層とを備え、
前記中間層は、前記所定領域の面形状に略相当する面形状に印刷され、且つ、表側模様形成層及び裏側模様形成層と同化しない明度、色相、及び／又は彩度であって、それらよりも淡色となる明度に設けられ、
前記各模様形成層は、面方向で相互にシフトした位置に印刷され、前記各模様形成層が中間層に重なり合う領域で隠蔽性を確保したことを特徴とする扉面材。
【請求項２】
前記各模様形成層は、相互に略同一ピッチとなるストライプ模様に形成され、前記中間層は、前記所定領域の面形状に略相当する面形状に設けられていることを特徴とする請求項１記載の扉面材。
【請求項３】
前記各模様形成層若しくは中間層の一部を省略し若しくはグラデーション化することにより、前記所定領域内に光透過部を形成したことを特徴とする請求項１又は２記載の扉面材。
【請求項４】
請求項１ないし３の扉面材を用いて形成したことを特徴とするドア。
【発明の詳細な説明】
【０００１】
【発明の属する技術分野】
本発明は扉面材及びこれを用いたドアに係り、更に詳しくは、両面側から模様を表出させるための加飾作業を簡単に行うことができ、且つ、隠蔽性を高めることのできる扉面材及びこれを用いたドアに関する。
【０００２】
【従来の技術】
住宅の洗面脱衣室等に設けられる室内ドアは、他の室内ドアと同様に両面側のデザイン性が要求される他、脱衣行為等がなされるプライベート空間を構成するための隠蔽性が要求される。そこで、このような室内ドアとしては、例えば、扉面材の両面側をそれぞれ加飾して隠蔽性を確保したものが知られている。
【０００３】
【発明が解決しようとする課題】
しかしながら、前記室内ドアにあっては、当該扉面材の両面側をそれぞれ別工程で加飾する作業が必要になり、当該加飾作業に手間がかかるという不都合がある。また、隠蔽性を確保しつつも、照明の点灯状況によって洗面脱衣室が使用中であるか否かを確認することができるように、ドアの上部に室内の明かりが漏れる確認用小窓等を設ける場合が多いが、この場合には、扉面材に部分的に穴を形成し透光性板を装着しなければならない等、製造工程や構造が複雑となるばかりか、確認用小窓の形成縁部分に生じた段差に埃等が溜まり易く、しかも、当該段差の存在により、確認用小窓の周囲の手入れも大変になるという不都合がある。
【０００４】
ところで、透光性を有する樹脂製の基材の片面側に、スクリーン印刷等により、一層の加飾層が設けられた室内ドアが知られている。この室内ドアにあっては、基材が透光性を有するため、扉面材の片面側の加飾作業で、その両面側から模様を表出させることができる。しかしながら、この構成では、加飾作業を簡単に行うことができるものの、洗面脱衣室等に要求される隠蔽性は必ずしも十分とは言えない。
【０００５】
【発明の目的】
本発明は、このような不都合に着目して案出されたものであり、その目的は、簡単な加飾作業で両面側に模様を表出させることができるとともに、高い隠蔽性を付与することができる扉面材及びこれを用いたドアを提供することにある。
【０００６】
また、本発明の他の目的は、洗面脱衣室内の照明の点灯状況を外部から確認できる部位を簡単に形成することができ、しかも、当該部位に対する特別な手入れを不要とすることができる扉面材及びこれを用いたドアを提供することにある。
【０００８】
【課題を解決するための手段】
前記目的を達成するため、本発明に係る扉面材は、透光性を有する基材と、この基材の何れか一方の面側の所定領域に設けられた加飾隠蔽層とを備えた扉面材であって、
前記加飾隠蔽層は、前記基材の一方の面側から視認可能な所定の模様を形成する表側模様形成層と、前記基材の他方の面側から視認可能な所定の模様を形成する裏側模様形成層と、これら各模様形成層の間に配置される中間層とを備え、
前記中間層は、前記所定領域の面形状に略相当する面形状に印刷され、且つ、表側模様形成層及び裏側模様形成層と同化しない明度、色相、及び／又は彩度であって、それらよりも淡色となる明度に設けられ、
前記各模様形成層は、面方向で相互にシフトした位置に印刷され、前記各模様形成層が中間層に重なり合う領域で隠蔽性を確保した、という構成を採ることによって、前述した目的を達成しようとしたものである。
【０００９】
更に、本発明に係るドアは、前記扉面材を用いて形成する構成を採ることができ、これによっても、簡単な加飾作業で両面側に模様を表出させることができるとともに、高い隠蔽性を付与することができる。
【００１０】
【発明の実施の形態】
本発明において、前記各模様形成層は、相互に略同一ピッチとなるストライプ模様に形成され、前記中間層は、前記所定領域の面形状に略相当する面形状に設けられる、という構成を採ることが好ましい。このように構成することで、版下の単純化等による加飾作業の省力化を一層促進することができる。
【００１１】
また、前記各模様形成層若しくは中間層の一部を省略し若しくはグラデーション化することにより、前記所定領域内に光透過部を形成する、という構成も併用することができる。これにより、洗面脱衣室内の照明の点灯状況を外部から確認できる部位を形成する際に、当該扉面材上に穴を空ける必要等がなくなり、前記部位を簡単に形成することができる。しかも、加飾隠蔽層により光透過部が形成されるため、当該光透過部の周囲に大きな段差が生じず、光透過部の周囲に特別な手入れを行う必要もない。
【００１２】
なお、本明細書における「隠蔽性」とは、扉面材を何れか一方の面側から見たときに、その反対の面側に位置する人物等の存在を全く視認することのできない程度、或いは、脱衣行為等がなされるプライベート空間に要求される程度の人物の姿態が極めて不鮮明になる程度のレベルを意味する。
【００１３】
また、本明細書における「上」、「下」、「左」、「右」は、特に明示しない限り、図１を基準とした位置若しくは方向を意味する。
【００１４】
【実施例】
以下、本発明の実施例について図面を参照しながら説明する。
【００１５】
図１には、本実施例に係るドアの概略正面図が示されている。この図において、ドア１０は、その外周に沿って設けられた框１１と、この框１１の内側に設けられた扉面材１２とを備えて構成されている。
【００１６】
扉面材１２は、図２〜図４に示されるように、アクリル等の樹脂板により形成され、透光性を有する基材１４と、この基材１４の図２中手前側となる第１の面１４Ａ側の略全域に設けられた加飾隠蔽層１５とを備えて構成されている。
【００１７】
加飾隠蔽層１５は、スクリーン印刷によって第１の面１４Ａ上に形成された三層のインキ層からなり、相互に二層が重なり合った状態で扉面材１２の隠蔽性を確保できるようになっている。すなわち、加飾隠蔽層１５は、上下に延びるストライプ模様がそれぞれ形成された表側模様形成層１７及び裏側模様形成層１８と、これら各模様形成層１７，１８の間に配置される中間層１９とからなる。なお、各層１７〜１９を構成するインキとしては、特に限定されるものではないが、本実施例では、十条ケミカル株式会社製の８５００シリーズＢＯＳインキが用いられている。また、各層１７〜１９の表面に、防水性を向上させるＵＶ表面加飾を行うこともできる。ここでの加飾としては、例えば、十条ケミカル株式会社製のＦＵＮ−ＣＯＡＴ（表面加飾）粉末と同社製レイキュアーＰＳ４８００シリーズのインキとを混合したものを用いることができる。ここで、各層１７〜１９の厚みは、３μm〜１０μｍ程度に設定されている。
【００１８】
前記表側模様形成層１７は、加飾隠蔽層１５における表面側（図２中手前側）に設けられており、左右方向に沿って略一定ピッチで並べられた複数の短冊状部２１からなる。これら短冊状部２１の上下寸法は、前記中間層１９の上下寸法よりも長さＬ分短寸に設けられており、これによって、当該中間層１９の上部と各短冊状部２１とは重なり合わないようになっている。また、各短冊状部２１の上端側には、上方に向かって次第に明度が低下するグラデーション部２１Ａが形成されている。
【００１９】
前記裏側模様形成層１８は、基材１４の第１の面１４Ａに設けられ、表側模様形成層１７と略同一ピッチとなるストライプ模様を形成するようになっている。この裏側模様形成層１８は、上下に延びる複数の短冊状部２２からなり、当該各短冊状部２２は、全領域で略同一となる色彩に設けられ、前記中間層１９の上下寸法と略同一の上下寸法に設定されている。また、各短冊状部２２は、表側模様形成層１７の各短冊状部２１の形成ピッチすなわち当該各短冊状部２１間の間隙Ｓ１の左右幅と略同一となる左右幅を備えている。これら各短冊状部２１，２２は、面方向で相互にシフトした位置に設けられ、平面視で相互に非干渉となる位置に設けられている。つまり、各短冊状部２２は、平面視で短冊状部２１間の間隙Ｓ１内に位置することになる。
【００２０】
前記中間層１９は、前記第１の面１４Ａの面形状に相当する平面視略方形状に設けられ、表側模様形成層１７及び裏側模様形成層１８と同化しない明度、色相、及び／又は彩度に設けられている。本実施例では、中間層１９は、表側模様形成層１７及び裏側模様形成層１８よりも淡色となる明度に設けられている。
【００２１】
以上の構成によって、前記加飾隠蔽層１５は、図１に示されるように、前記グラデーション部２１Ａの下端部分を境界として、下側の主領域１５Ａと、上側の光透過部１５Ｂとに区分されることになる。
【００２２】
すなわち、主領域１５Ａでは、図４に示されるように、各短冊状部２１，２２の何れか一方が必ず中間層１９に重なり合っており、これによって、全域で隠蔽性が確保されることになる。また、表側模様形成層１７と裏側模様形成層１８とが中間層１９によって仕切られた状態となっており、基材１４の第１の面１４Ａ側からは、表側模様形成層１７のストライプ模様と、その各短冊状部２１の間から表出する中間層１９により形成されたストライプ模様とを視認できる。一方、第１の面１４Ａの反対側となる第２の面１４Ｂ側からは、基材１４が透光性を有するため、裏側模様形成層１８のストライプ模様と、その各短冊状部２２の間から表出する中間層１９により形成されたストライプ模様とを視認することができる。
【００２３】
一方、光透過部１５Ｂでは、図２に示されるように、表側模様形成層１７が上方に向かってグラデーション化されているため、裏側模様形成層１８の各短冊状部２２間に形成された間隙Ｓ２部分の隠蔽性が上方に向かって次第に低下し、若干の透光性を備えることになる。このため、光透過部１５Ｂは、室内の照明の点灯状況を外部から確認するための窓等として利用可能となる。
【００２４】
従って、このような実施例によれば、スクリーン印刷等によって基材１４の第１の面１４Ａ側に加飾隠蔽層１５を形成するだけで、扉面材１２の隠蔽性を確保しつつも第１及び第２の面１４Ａ，１４Ｂの両側から視認可能な模様を付すことができ、洗面脱衣室等に要求されるドア１０を簡単に形成できるという効果を得る。
【００２５】
また、光透過部１５Ｂは、加飾隠蔽層１５を形成する際に同時に形成することができ、扉面材１２に穴を別途空ける等の作業が不要になり、外部から使用状況を確認することができるドアの製造を一層簡単に行うことができる。しかも、光透過部１５Ｂは、スクリーン印刷によって形成されるため、当該光透過部１５Ｂの周りに大きな段差等が発生せず、光透過部１５Ｂの周囲における埃等の付着を防止することができ、光透過部１５Ｂの周囲の特別な手入れを不要にできる。
【００２６】
なお、前記実施例では、加飾隠蔽層１５を第１の面１４Ａの全領域に設けたが、第１若しくは第２の面１４Ａ，１４Ｂの一部領域に設けることもできる。
【００２７】
また、加飾隠蔽層１５を、接着剤でラミネートした樹脂製のフィルムを三層貼付することによって形成することもできる。
【００２８】
更に、各模様形成層１７，１８は、面方向に相互にシフトしたストライプ模様を形成可能なっているが、本発明はこれに限らず、平面視で相互に非干渉となる位置に設けられる限りにおいて種々の模様を採用することができる。
【００２９】
また、光透過部１５Ａは、前記グラデーション部２１Ａを形成せずに各模様形成層１７，１８の何れか一方を省略することによって形成し、或いは、中間層１９をグラデーション化することによって形成することも可能である。
【００３０】
【発明の効果】
以上説明したように、本発明によれば、透光性を有する基材の何れか一方の面内の所定領域に設けられた加飾隠蔽層を備え、当該加飾隠蔽層として、前記基材の一方の面側から所定の模様を視認可能な表側模様形成層と、前記基材の他方の面側から所定の模様を視認可能な裏側模様形成層と、これら各模様形成層の間に配置される中間層とにより構成し、前記各模様形成層が中間層に重なり合う領域で隠蔽性を確保したから、簡単な加飾作業で両面側に模様を表出させることができるとともに、高い隠蔽性を付与することができる。
【００３１】
また、各模様形成層を相互に略同一ピッチとなるストライプ模様とし、前記中間層を前記所定領域の面形状に略相当する面形状に設けたから、加飾作業の一層の省力化を図ることができる。
【００３２】
更に、前記各模様形成層若しくは中間層の一部を省略し若しくはグラデーション化することにより、前記所定領域内に光透過部を形成したから、洗面脱衣室内の照明の点灯状況を外部から確認できる部位を簡単に形成することができるとともに、光透過部の周囲に大きな段差が生じず、光透過部の周囲に対する特別な手入れが不要となる。
【図面の簡単な説明】
【図１】  本実施例におけるドアの概略正面図。
【図２】  扉面材の構成を示す分解斜視図。
【図３】  図１のＡ−Ａ線矢視断面図。
【図４】  図１のＢ−Ｂ線矢視断面図。
【符号の説明】
１０・・・ドア、１１・・・框、１２・・・扉面材、１４・・・基材、１４Ａ・・・第１の面、１４Ｂ・・・第２の面、１５・・・加飾隠蔽層、１５Ｂ・・・光透過部、１７・・・表側模様形成層、１８・・・裏側模様形成層、１９・・・中間層、２１Ａ・・・グラデーション部
【図１】
0003782729.tif 000002
【図２】
0003782729.tif 000003
【図３】
0003782729.tif 000004
【図４】
0003782729.tif 000005